(57)【要約】【課題】配線器具の部品の組み込み作業を容易にする。【解決手段】配線器具111は、電線挿入孔131を設けた筐体112と、電線接続部135を備えた端子金具115と、電線接続部135に向って弾性変形可能に突設した押圧部82とを備えたばね部材15とを備える。ばね部材15は、端子金具115で覆って筐体112に収納する。筐体112の内壁部136からばね部材15に当接するスペーサ部138を突設する。筐体112の内壁部136から突設したスペーサ部138がばね部材15に当接し、筐体112の内壁部136とばね部材15との間に間隙を確保できるため、ばね部材15を覆う端子金具115を容易に筐体112に組み込みできる。【選択図】図５
2006196472.tif 000002
【特許請求の範囲】
【請求項１】
電線挿入孔を設けた筐体と；
筐体に収納され、電線挿入孔に近接して配置される電線接続部を備えた端子金具と；
端子金具に覆われて筐体に収納され、基部と、この基部から電線接続部に向って弾性変形可能に突設された押圧部とを備えたばね部材と；
筐体の内壁部から突設さればね部材に当接するスペーサ部と；
を具備したことを特徴とする配線器具。
【請求項２】
スペーサ部は、部品が挿入される側の先端部が曲面状及び傾斜面状の一方に形成され、
端子金具には、スペーサ部が挿入される溝部が形成された
ことを特徴とする請求項１記載の配線器具。
【発明の詳細な説明】
【技術分野】
【０００１】
本発明は、電線挿入孔から挿入した電線をばね部材で端子金具側に押圧して機械的および電気的に接続する配線器具に関する。
【背景技術】
【０００２】
従来、コンセントやスイッチなどの配線器具において、電線挿入孔から筐体内に挿入した電線をばね部材で端子金具側に押圧して、電線を端子金具に機械的および電気的に接続する構成が用いられている。さらに、このような配線器具では、接続された電線を取り外すため、ばね部材を押圧して鎖状接続を解除するリリースボタンが備えられている。
【発明の開示】
【発明が解決しようとする課題】
【０００３】
上記従来の構成では、電線を取り外す際に、リリースボタンあるいはこのリリースボタンに押動されるばね部材の動作が必ずしも安定せず、操作性が悪い問題を有している。
【０００４】
また、筐体内でばね部材が端子金具に覆われるように取り付けられる場合は、まず、筐体にばね部材を組み込み、次いで、筐体に端子金具を組み込む作業が必要になる。しかしながら、先にばね部材を組み込んだ筐体の小さい空間に端子金具を組み込む作業は容易ではなく、端子金具がばね部材に引っかかりやすいなどの問題を有している。また、予めばね部材の周囲に大きな空間を確保すると、ばね部材の位置決めが難しくなる問題を有している。
【０００５】
本発明は、このような点に鑑みなされたもので、部品の組み込み作業を容易にできる配線器具を提供することを目的とする。
【課題を解決するための手段】
【０００６】
請求項１記載の配線器具は、電線挿入孔を設けた筐体と；筐体に収納され、電線挿入孔に近接して配置される電線接続部を備えた端子金具と；端子金具に覆われて筐体に収納され、基部と、この基部から電線接続部に向って弾性変形可能に突設された押圧部とを備えたばね部材と；筐体の内壁部から突設さればね部材に当接するスペーサ部と；を具備したものである。
【０００７】
そして、この構成では、電線挿入孔に電線を挿入すると、この電線は、端子金具の電線接続部とばね部材の押圧部との間に挟持され、機械的および電気的に接続される。また、筐体の内壁部から突設したスペーサ部がばね部材に当接し、筐体の内壁部とばね部材との間に所定の間隙が確保されるため、ばね部材を覆う端子金具が容易に筐体に組み込まれる。
【０００８】
請求項２記載の配線器具は、請求項１記載の配線器具において、スペーサ部は、部品が挿入される側の先端部が曲面状及び傾斜面状の一方に形成され、端子金具には、スペーサ部が挿入される溝部が形成されたものである。
【０００９】
そして、この構成では、スペーサ部は、部品が挿入される側の先端部を曲面状及び傾斜面状の一方に形成したため、ばね部材を確実に案内し、端子金具を挿入できる間隙が確実に確保される。また、スペーサ部は端子金具の溝部に挿入される。
【発明の効果】
【００１０】
請求項１記載の配線器具によれば、電線挿入孔に電線を挿入することにより、この電線を端子金具の電線接続部とばね部材の押圧部との間に挟持し、機械的および電気的に接続できる。また、筐体の内壁部から突設したスペーサ部がばね部材に当接し、筐体の内壁部とばね部材との間に所定の間隙を確保するため、ばね部材を覆う端子金具を筐体に容易に組み込みできる。
【００１１】
請求項２記載の配線器具によれば、請求項１記載の効果に加え、スペーサ部は、部品が挿入される側の先端部を曲面状及び傾斜面状の一方に形成したため、ばね部材を確実に案内し、端子金具を挿入できる間隙を確実に確保できる。また、スペーサ部は端子金具の溝部に挿入できる。
【発明を実施するための最良の形態】
【００１２】
以下、本発明の前提となる配線器具の一実施の形態を図面を参照して説明する。
【００１３】
図１は本発明の前提となる配線器具の一実施の形態を示す断面図である。図２は同上配線器具を示す底面図である。
【００１４】
図１および図２において、11は配線器具で、この配線器具11は、枠体などを用いて壁面などの造営物に埋め込み設置され、電源線に接続され、図示しないプラグが電気的および機械的に着脱可能に接続されるコンセントを構成している。なお、以下、プラグが装着される正面側を上側、底面側を下側として説明する。
【００１５】
そして、この配線器具11は、筐体12と、この筐体12に収納される一対の端子金具14および４個のばね部材15となどを備えている。
【００１６】
そして、筐体12は、筐体本体16と、カバー体17と、止め金具18となどを備えている。そして、筐体本体16およびカバー体17は、それぞれ絶縁性を有する白色あるいは乳白色などの合成樹脂にて一体に形成され、互いに組み合わせて止め金具18で連結固定された状態で、内側に端子金具14を収納する収納空間が構成されている。そして、筐体本体16は、上側を開口した略箱状をなし、内側には、仕切板部21を中心として、それぞれ刃受け金具装着部22と鎖状端子装着部23とが対称に形成されている。さらに、各鎖状端子装着部23から下側に貫通して、それぞれ一対の電線挿入孔25が形成されているとともに、対をなす電線挿入孔25同士の間に位置して、リリース孔26が形成されている。また、筐体本体16の底部31には、略平面状の底面部32の両端部から、下側に向かい突出部33が突設され、この突出部33に、電線挿入孔25およびリリース孔26が形成されている。さらに、１カ所の電線挿入孔25に隣接し、底面部32から下側に表示台部35が突設され、さらに、この表示台部35から下側に接地側極を示す表示部36が突設されている。また、筐体本体16の両側の側部には、それぞれ上側の両端部に位置して、係合受部41が一体に形成されている。そして、この係合受部41には、上下に延びる案内溝部42と、この案内溝部42の下端部の両側に位置する係止段部43とが設けられている。また、この筐体本体16は、開口した上側が底部31側より面積が大きく、両側にそれぞれテーパ状の傾斜面44が形成されている。
【００１７】
また、カバー体17は、平面略矩形状のカバー本体部46と、このカバー本体部46の両端の下端部から前後に延設されたフランジ部47とを備えている。そして、カバー本体部46の下側には、仕切板部51を中心として、一対の刃受け金具収納部52が形成され、この刃受け金具収納部52から上側に貫通して、一対のプラグ差込孔54が形成されている。さらに、カバー本体部46の上面には、各プラグ差込孔54を囲み、差込孔凹部55が曲面状に凹設されている。
【００１８】
また、各止め金具18は、例えばステンレス板を打ち抜き屈曲などして、カバー体係合部61と、このカバー体係合部61の両側部から延設された筐体本体係合部62とが形成されている。そして、端子金具14やばね部材15などを組み込み収納した筐体本体16にカバー体17を被せ、止め金具18のカバー体係合部61をカバー体17のフランジ部47上に位置させた後、筐体本体係合部62を筐体本体16の係止段部43の下側に係止することにより、止め金具18により筐体本体16とカバー体17とが連結固定され、配線器具11が組み立てられている。
【００１９】
一方、筐体12に組み込み収納される各端子金具14は、例えば、スズ(Sn)入りの銅合金など導電性の良好な金属板にて、筐体本体16の刃受け金具装着部22に装着される刃受部71と、鎖状端子装着部23に装着される両側一対の鎖状接続部72とが一体に形成されている。そして、刃受部71は、上側に開口した略Ｕ字状に屈曲され、プラグ差込孔54から挿入されたプラグの刃を弾性的に挟持し、電気的におよび機械的に接続する。また、各鎖状接続部72は、刃受部71の一部と面一をなす基板部74と、この基板部74の上端部から長手方向に沿って外側に屈曲された水平な腕板部75と、この腕板部75の先端部から下方に向かって屈曲された垂直な電線接続部77とを備え、下方を開口した略コの字状に形成されている。
【００２０】
また、各鎖状端子装着部23には、それぞれ端子金具14の鎖状接続部72に囲まれるようにして、ばね部材15が組み込み収納されている。そして、各ばね部材15は、鎖状接続金具などとも呼ばれるもので、ステンレスなどの弾性を有する金属などの弾性を有する部材により、基板部74に沿って配置される基部81と、この基部81の一端部である下端部から外側上方に向かい傾斜して屈曲された押圧部82と、この基部81の他端部であるから略Ｓ字状に屈曲された支持突部83とが一体に形成されている。そして、押圧部82は、切断面などにて形成された角部を有する鎖状接続可能な先端部が電線接続部77側に向かって配置されている。また、支持突部83は、上側の腕板部75に当接してばね部材15の姿勢を支えるとともに、くの字状に曲げられた鎖状接続しない先端部が電線接続部77に対向して配置されている。そこで、電線挿入孔25から挿入された電線の芯線は、ばね部材15の押圧部82と支持突部83とにより、端子金具14の電線接続部77に圧接され、端子金具14に電気的に接続される。同時に、押圧部82の先端部が電線の芯線に食い込み鎖状接続して、電線を機械的に抜け止め保持するようになっている。
【００２１】
さらに、筐体12には、各鎖状端子装着部23間に位置して、例えば、筐体本体16と同じ材質の黄色あるいは白色などの合成樹脂などにて形成されたリリースボタン86が進退可能、本実施の形態では水平方向に移動可能に収納されている。そして、各リリースボタン86には、ボタン本体87と、このボタン本体87から下方に傾斜面を持って突設された操作案内部88と、このボタン本体87の内側すなわちばね部材15に向かい上側に立ち上げられた一対のばね部材押動部89とが一体に形成されている。そして、各ばね部材押動部89は、上側部に支持突部用当接部91が形成され、この支持突部用当接部91の下側に位置して押圧部用当接部92が形成されている。さらに、この押圧部用当接部92は、支持突部用当接部91より傾斜面の段部を介して外側に後退した先端当接部93と、この先端当接部93より傾斜面の段部を介して前側に突出した角部である中間当接部94とが形成されている。
【００２２】
そして、通常の状態では、各リリースボタン86は、各ばね部材15の幅方向の端部に当接し、あるいは僅かな間隔を介して対向し、ボタン本体87が筐体12に押しつけられる外側端に位置している。そして、この状態から、リリース孔26にドライバなどの治具を挿入し、さらにボタン本体87と筐体12との間に圧入すると、リリースボタン86は内側に向かい水平に移動する。すると、リリースボタン86の押圧部用当接部92がばね部材15の押圧部82を押圧して変形させるとともに、支持突部用当接部91が支持突部83を押圧して変形させ、電線の鎖状接続を解除（リリース）し、かつ挟持する力を緩めて、容易に引き抜けるようになっている。
【００２３】
このように、本実施の形態によれば、リリースボタン86は、解除動作の際に、ばね部材15の鎖状接続用の押圧部（ばね部）82のみならず、ばね部材15自身を支持する機能を有する支持突部（支え部）83に当接して押圧変形させるため、押圧部82のみを押動する構成に較べて、リリースボタン86を水平方向に安定して移動させることができる。また、この構成は、段部により突出した部分で押圧部82を押圧し、この押圧部82より後退した部分で支持突部83を押圧することにより、リリースボタン86の構造を簡略化でき、製造コストを低減できる。
【００２４】
また、本実施の形態によれば、リリースボタン86は、解除動作の際に、ばね部材15の鎖状接続用の押圧部82について、押圧部82の支点部と先端部との間に位置する中間部を中間当接部94で当接して押動して変形させるとともに、押圧変形の支点部となる基部81から最も遠い先端部を先端当接部93で当接して押動することにより、比較的小さな力で押圧部82を変形させ、電線の鎖状接続を解除することができる。また、この構成は、段部により突出した部分に中間当接部94を設け、この段部により後退した部分に先端当接部93を設けたため、リリースボタン86の構造を簡略化でき、製造や組み付けを容易にして、製造コストを低減できる。
【００２５】
すなわち、本実施の形態では、リリースボタン86は、ばね部材15の３カ所に当接して変形させ、解除動作を円滑にできる。
【００２６】
また、上記の実施の形態では、配線器具として、単相１００Ｖの一般タイプのコンセントを説明したが、本発明は種々の配線器具に適用可能であり、例えば、コンセントとしては、単相１００Ｖのほか、単相２００Ｖ、三相２００Ｖが可能であり、また、複数のプラグを装着できる構成や、接地極付きの構成、あるいは、引掛形のタイプに適用することもできる。また、コンセントのほか、片切、両切、３路、４路、タイマー付きなどの種々のスイッチに適用することもできる。
【００２７】
次に、本発明の一実施の形態を図面を参照して説明する。
【００２８】
図３は本発明の配線器具の一実施の形態を示す側面図である。図４は同上配線器具を示すカバーを取り外した状態の平面図である。図５は同上配線器具を示す一部を拡大した分解斜視図である。
【００２９】
図３ないし図５において、111 は配線器具で、この配線器具111 は、枠体などを用いて壁面などの造営物に埋め込み設置され、電源線に接続されるスイッチ装置を構成している。
【００３０】
そして、この配線器具111 は、筐体112 と、この筐体112 に収納される３個の端子金具114 ，115 ，116 および４個のばね部材15となどを備えている。
【００３１】
そして、筐体112 は、スイッチ本体121 と、このスイッチ本体121 の上側に揺動自在に支持された操作体であるハンドル122 とを備えている。そして、スイッチ本体121 は、上側を開口した白色の合成樹脂製の略箱状の本体部124 と、この本体部124 の上側を覆う白色の合成樹脂製のカバー125 とを備え、これら本体部124 とカバー125 とがステンレスなどの金属製の一対の止金具126 をかしめて固定され、内部に金具収納部127 が形成されている。
【００３２】
そして、本体部124 の下面には、４個の電線挿入孔131 と、２個のリリース孔132 とが形成されている。そして、電線挿入孔131 の内側には、それぞれ図１と同様のばね部材15が配置されているとともに、リリース孔26の内側には、それぞれ図１と同様のリリースボタン86が配置されている。そして、一端側に位置する２個のばね部材15には、共通端子である端子金具114 が覆うようにして組み合わされて接続され、他端側に位置する２個のばね部材15には、それぞれ負荷端子である端子金具115 ，116 が覆うようにして組み合わされて接続されている。
【００３３】
また、これら端子金具114 ，115 ，116 には、ばね部材15を囲み、基板部133 と、この基板部133 の上端部から外側に位置する水平な腕板部134 と、この腕板部75の先端部から下方に向かって位置する垂直な電線接続部135 とを備え、さらに、筐体112 の内壁部136 とばね部材15との間に位置する側板部137 が形成されている。
【００３４】
そこで、この実施の形態においても、電線挿入孔131 から挿入された電線の芯線は、ばね部材15の押圧部82と支持突部83とにより、端子金具114 ，115 ，116 の電線接続部135 に圧接され、端子金具114 ，115 ，116 に電気的に接続される。同時に、押圧部82の先端部が電線の芯線に食い込み鎖状接続して、電線を機械的に抜け止め保持するようになっている。
【００３５】
また、リリースボタン86についても、通常の状態では、各ばね部材15の幅方向の端部に当接し、あるいは僅かな間隔を介して対向し、ボタン本体87が筐体112 に押しつけられる外側端に位置している。そして、この状態から、リリース孔132 にドライバなどの治具を挿入し、さらにボタン本体87と筐体112 との間に圧入すると、リリースボタン86は内側に向かい水平に移動する。すると、リリースボタン86の押圧部用当接部92がばね部材15の押圧部82を押圧して変形させるとともに、支持突部用当接部91が支持突部83を押圧して変形させ、電線の鎖状接続を解除（リリース）し、かつ挟持する力を緩めて、容易に引き抜けるようになっている。
【００３６】
さらに、筐体112 の内壁部136 からは、上下方向すなわち端子金具114 ，115 ，116 を長手方向とするスペーサ部138 が突設されている。また、このスペーサ部138 は、上端部に、金具収納部127 の内側下方に向かう傾斜面138aが形成されている。そして、このスペーサ部138 は、ばね部材15の側部に当接してばね部材15の位置を規制し、筐体112 の内壁部136 とばね部材15との間に端子金具114 ，115 ，116 の側板部137 を挿入できる間隙を確保する。また、端子金具114 ，115 ，116 の側板部137 には、スペーサ部138 が挿入される溝部140 が形成されている。
【００３７】
また、共通端子である端子金具114 は、金具収納部127 の底部の略中央部に延設されるとともに、上側に向かって拡開する略Ｖ字状に屈曲されて、可動片軸受部141 が形成されている。また、負荷端子である端子金具115 ，116 は、可動片軸受部141 の上方に延設され、互いに対向し、かつ、上方に向かって若干傾斜した固定接点部142 ，142 が形成されている。そして、可動片軸受部141 には、可動接点を設けた可動片が下端部を支持され、揺動自在になっている。そこで、ハンドル122 の操作によりコイルスプリングを介して可動片を揺動させることにより、可動接点をいずれかの固定接点部142 ，142 に当接させ、負荷端子であるいずれかの端子金具115 ，116 が共通端子である端子金具114 に接続され、回路が切り替えられる。
【００３８】
そして、この実施の形態によれば、ばね部材15が端子金具114 ，115 ，116 に覆われるようにして筐体112 に収容される配線器具111 について、筐体112 の内壁部136 からばね部材15の側部に当接してばね部材15の位置を規制するスペーサ部138 を突設している。そこで、ばね部材15を筐体112 に収容した状態においても、筐体112 の内壁部136 とばね部材15との間に端子金具114 ，115 ，116 の側板部137 を落とし込んで挿入する間隙を確保でき、端子金具114 ，115 ，116 の組み込み作業を容易にでき、製造作業を容易にできる。
【００３９】
また、スペーサ部138 は、縦長の形状として、上側すなわち部品を組み込む側から見た時に占める面積を小さくし、引っかかりを生じにくくしたため、ばね部材15などの部品を筐体112 内に落とし込んで組み込む作業を容易にできる。さらに、スペーサ部138 は、上端部すなわち部品が挿入される側の先端部を曲面状（アール状）あるいは傾斜面状（テーパ状）に形成しため、ばね部材15を確実に案内し、端子金具114 ，115 ，116 の側板部137 を挿入できる間隙を確実に確保できる。
【図面の簡単な説明】
【００４０】
【図１】本発明の前提となる配線器具の一実施の形態を示す断面図である。
【図２】同上配線器具を示す底面図である。
【図３】本発明の配線器具の一実施の形態を示す側面図である。
【図４】同上配線器具を示すカバーを取り外した状態の平面図である。
【図５】同上配線器具を示す一部を拡大した分解斜視図である。
【符号の説明】
【００４１】
15    ばね部材
81    基部
82    押圧部
111   配線器具
112   筐体
115   端子金具
131   電線挿入孔
135   電線接続部
136   内壁部
138   スペーサ部
140   溝部
【図１】
2006196472.tif 000003
【図２】
2006196472.tif 000004
【図３】
2006196472.tif 000005
【図４】
2006196472.tif 000006
【図５】
2006196472.tif 000007